(57)【要約】      （修正有）【課題】一の被写体に関する画像データを効率的に管理する。【解決手段】撮像装置２００と情報処理装置１００とを有する画像管理システムであって、光学的に読み取り可能なコードの示す識別情報を認識する認識部２０２と、被写体の１以上の画像データを取得する取得部２０１と、認識部２０２が認識した識別情報と取得部２０１が取得した画像データとを関連付けて記録する記録部２０３と、記録された識別情報及び画像データを情報処理装置に送信する送信部２０５と、撮像装置２００から受信した前記識別情報に基づいて画像データを記憶する記憶部１０１と、を有する。【選択図】図６
2015219699.tif 000002
【特許請求の範囲】
【請求項１】
撮像装置と情報処理装置とを有する画像管理システムであって、
光学的に読み取り可能なコードの示す識別情報を認識する認識部と、
被写体の１以上の画像データを取得する取得部と、
前記認識部が認識した前記識別情報と前記取得部が取得した前記画像データとを関連付けて記録する記録部と、
記録された前記識別情報及び前記画像データを前記情報処理装置に送信する送信部と、
前記撮像装置から受信した前記識別情報に基づいて前記画像データを記憶する記憶部と、
を有する、画像管理システム。
【請求項２】
前記記憶部は、前記識別情報と対応するフォルダを有し、前記識別情報と関連付けられる前記画像データを、前記フォルダに記憶する、
請求項１に記載の画像管理システム。
【請求項３】
前記識別情報は、前記被写体を識別するための名前又は番号を含む、
請求項１又は２に記載の画像管理システム。
【請求項４】
前記認識部は、前記被写体である患者の所持品に印刷された前記コードを認識し、
前記記録部は、前記コードの認識の後に取得された、前記患者の体の一部又は全部を含む前記画像データを、前記識別情報と関連付けて記録する、
請求項３に記載の画像管理システム。
【請求項５】
前記識別情報は、前記患者の名前又は識別番号を含む、
請求項４に記載の画像管理システム。
【請求項６】
前記認識部は、一の商品の名前又は一の作品の作者を識別する識別情報を示す前記コードを認識し、
前記記録部は、前記コードの認識の後に取得された、前記商品又は作品の一部又は全部を含む前記画像データを、前記識別情報と関連付けて記録する、
請求項３に記載の画像管理システム。
【請求項７】
前記認識部は、一の事件を識別する識別情報を示す前記コードを認識し、
前記記録部は、前記コードの認識の後に取得された、前記事件に関連する写真を含む前記画像データを、前記識別情報と関連付けて記録する、
請求項３に記載の画像管理システム。
【請求項８】
前記撮像装置の利用期間に基づいて利用料金情報を生成する、
請求項１乃至７何れか１項に記載の画像管理システム。
【請求項９】
前記送信部は、前記コードの印刷数に基づき利用料金情報を送信する、
請求項１乃至８何れか１項に記載の画像管理システム。
【請求項１０】
撮像装置と情報処理装置とを有する画像管理システムが実行する画像管理方法であって、
光学的に読み取り可能なコードの示す識別情報を認識する認識段階と、
被写体の１以上の画像データを取得する取得段階と、
前記認識段階において認識された前記識別情報と前記取得段階において取得された前記画像データとを関連付けて記録する記録段階と、
記録された前記識別情報及び前記画像データを前記情報処理装置に送信する送信段階と、
前記撮像装置から受信した前記識別情報に基づいて前記画像データを格納する格納段階と、
を有する、画像管理方法。
【請求項１１】
光学的に読み取り可能なコードの示す識別情報を認識する認識部と、
被写体の１以上の画像データを取得する取得部と、
前記認識部が認識した前記識別情報と前記取得部が取得した前記画像データとを関連付けて記録する記録部と、
記録された前記識別情報及び前記画像データを送信する送信部と
を有する、撮像装置。
【請求項１２】
コンピュータを、
光学的に読み取り可能なコードの示す識別情報を認識する認識部と、
被写体の１以上の画像データを取得する取得部と、
前記認識部が認識した前記識別情報と前記取得部が取得した前記画像データとを関連付けて記録する記録部と、
記録された前記識別情報及び前記画像データを送信する送信部とを有する撮像装置として機能させるプログラム。
【請求項１３】
画像形成装置と、撮像装置と、情報処理装置とを有する画像管理システムであって、
被写体を識別する識別情報を示す、光学的に読み取り可能なコードの画像を紙面に形成する出力部と、
前記出力部の出力した前記コードの示す識別情報を認識する認識部と、
被写体の１以上の画像データを取得する取得部と、
前記認識部が認識した前記識別情報と前記取得部が取得した前記画像データとを関連付けて記録する記録部と、
記録された前記識別情報及び前記画像データを前記情報処理装置に送信する送信部と、
前記撮像装置から受信した前記識別情報に基づいて前記画像データを記憶する記憶部と、
を有する、画像管理システム。
【請求項１４】
画像形成装置と、撮像装置と、情報処理装置とを有する画像管理システムであって、
前記画像形成装置は、
被写体を識別する識別情報を示す、光学的に読み取り可能なコードの画像を紙面に形成する出力部を備え、
前記撮像装置は、
前記出力部の出力した前記コードの示す識別情報を認識する認識部と、
被写体の１以上の画像データを取得する取得部と、
前記認識部が認識した前記識別情報と前記取得部が取得した前記画像データとを関連付けて記録する記録部と、
記録された前記識別情報及び前記画像データを前記情報処理装置に送信する送信部とを備え、
前記情報処理装置は、
前記撮像装置から受信した前記識別情報に基づいて前記画像データを記憶する記憶部を有する、
画像管理システム。
【発明の詳細な説明】
【技術分野】
【０００１】
本発明は、画像管理システム、画像管理方法及び撮像装置に関する。
【背景技術】
【０００２】
デジタルカメラの普及に伴い、デジタルカメラで取得した画像を、ネットワークを介してサーバにアップロードし、管理するシステムが一般的となっている。ユーザは、アップロードした多数の画像を、日付やイベント等でグループ分けして管理することができる。
【０００３】
特許文献１は、無線機能を用いてサーバに画像をアップロードした後、ディスプレイにバーコードを表示し、ユーザに携帯電話を用いてそのバーコードを撮影させることにより、サーバ上の画像の編集サイトへと誘導する撮影装置を開示している。
【発明の概要】
【発明が解決しようとする課題】
【０００４】
しかしながら、従来の方法では、多数の撮影データの中から、一の被写体に関する一以上の画像データをまとめて管理するために、逐一画像データを確認し、手動でフォルダを分けたり、タグを割り当てたりするような作業が必要となっていた。
【０００５】
本発明は、このような問題に鑑みてなされたものであり、一の被写体に関する画像データを効率的に管理できるようにすることを目的とする。
【課題を解決するための手段】
【０００６】
上述した課題を解決し目的を達成するため、本発明の一実施形態における画像管理システムは、
撮像装置と情報処理装置とを有する画像管理システムであって、
光学的に読み取り可能なコードの示す識別情報を認識する認識部と、
被写体の１以上の画像データを取得する取得部と、
前記認識部が認識した前記識別情報と前記取得部が取得した前記画像データとを関連付けて記録する記録部と、
記録された前記識別情報及び前記画像データを前記情報処理装置に送信する送信部と、
前記撮像装置から受信した前記識別情報に基づいて前記画像データを記憶する記憶部と、
を有する。
【発明の効果】
【０００７】
本発明によれば、１の被写体に関する画像データを効率的に管理できるようになる。
【図面の簡単な説明】
【０００８】
【図１】本発明の一実施形態に係る画像管理システムの概略図。
【図２】本発明の一実施形態に係る撮像装置の外観図。
【図３】本発明の一実施形態に係る情報処理装置のハードウェア構成図。
【図４】本発明の一実施形態に係る撮像装置のハードウェア構成図。
【図５】本発明の一実施形態に係る画像形成装置のハードウェア構成図。
【図６】本発明の一実施形態に係る画像管理システムの機能ブロック図。
【図７】本発明の一実施形態に係る画像形成装置が出力する出力データの例を表す図。
【図８】識別情報の構造の例を表す図。
【図９】画像データの格納フォルダの例を表す図。
【図１０】バーコードの出力処理を表すフローチャート。
【図１１】バーコードの認識と画像データの記録処理を表すフローチャート。
【図１２】画像データの格納処理を表すフローチャート。
【図１３】画像管理システムの動作例を表すシーケンス図。
【図１４】本発明の一実施形態に係る画像管理システムの応用例を表す図。
【図１５】本発明の一実施形態に係る画像管理システムの応用例を表す図。
【図１６】本発明の一実施形態に係る画像管理システムの応用例を表す図。
【図１７】本発明の一実施形態に係る画像管理システムの応用例を表す図。
【発明を実施するための形態】
【０００９】
以下、図を用いて、本発明の実施形態について説明する。
【００１０】
１．システム
２．ハードウェア構成
３．機能
４．動作例
５．効果
６．応用例
【００１１】
≪１．  システム≫
図１は、本発明の一実施形態に係る画像管理システム１の概略図である。画像管理システム１は、情報処理装置１００Ａ、１００Ｂと、撮像装置２００と、管理システム３００と、情報処理装置４００と、画像形成装置５００とを有する。これらの装置は、インターネットやＬＡＮ（Local  Area  Network）のような、１以上のネットワーク２で接続されている。
【００１２】
本実施形態では、画像管理システム１が、患者のデータを管理する医療システムに適用されるものとして、説明する。
【００１３】
管理システム３００は、例えば、病院で用いられるＨＩＳ（Hospital  Information  System）である。ＨＩＳは、患者ごとに、患者の画像データを管理するＰＡＣＳ（Picture  Archiving  and  Communication  Systems）を含む。すなわち、管理システム３００は、検査や診断によって得られた患者の画像データを管理し、担当者からの要求に応じて、画像データを出力することができる。また、管理システム３００は、例えば、患者の識別番号（患者番号）、患者の名前（患者名）、患者の顔写真、生年月日等を含む、患者情報を管理する。
【００１４】
情報処理装置４００は、ネットワーク２を介して、管理システム３００から患者情報を取得する。情報処理装置４００は、例えば、患者番号と対応するバーコードを生成し、そのバーコード及び患者情報を、目的に応じて異なる形式で、画像形成装置５００に出力させる。なお、バーコードの代わりに、ＱＡコード（登録商標）や三次元的カラーバーコードのような、光学的に読み取り可能な任意の形式の図形又は符号が用いられても良い。
【００１５】
画像形成装置５００は、情報処理装置４００からの制御に応じて、バーコード及び患者情報を出力する。例えば、画像形成装置５００は、患者の身体（例えば、腕）に装着される装備品（例えば、リストバンド）に張り付けられるシール３に、バーコード及び患者情報を出力することができる。また、画像形成装置５００は、組み立て式のリストバンドと、複数のシールとからなる１枚の台紙４に、バーコード及び患者情報を出力することができる。また、画像形成装置５００は、カルテや検査表５に、バーコード及び患者情報を含めて、出力することができる。
【００１６】
撮像装置２００は、バーコード又はその他の形状の図形等を認識し、患者番号を取得することができる。また、撮像装置２００は、バーコードを認識した後に撮影された、患者の患部の画像データを、自動的に、その患者番号と関連付けることができる。
【００１７】
図２は、本実施形態において用いられる撮像装置２００の筐体を表す。撮像装置２００は、ＣＣＤ２７や操作部３０に加えて、バーコード読取部２８を有する。撮像装置２００は、このバーコード読取部２８を用いて、バーコードの示す患者番号を認識することができる。
【００１８】
撮像装置２００は、ＵＳＢ（Universal  Serial  Bus）ケーブル又は無線ＬＡＮを用いて、認識した患者情報及び画像データを、情報処理装置１００Ａ、１００Ｂに送信する。
【００１９】
情報処理装置１００Ａは、ＵＳＢケーブルを介して、撮像装置２００から、患者番号及び画像データを取得する。情報処理装置１００Ａは、取得した患者情報を用いて、画像データを格納するフォルダを特定し、そのフォルダに画像データを格納する。
【００２０】
情報処理装置１００Ｂは、無線ＬＡＮを介して、撮像装置２００から、患者情報及び画像データを取得する。情報処理装置１００Ｂは、情報処理装置１００Ａと同様に、患者情報に応じて異なるフォルダに、画像データを格納する。情報処理装置１００Ｂは、情報処理装置１００Ａと異なり、撮像装置２００の所有者と異なる第三者により提供される、インターネット上のサーバである。
【００２１】
管理システム３００は、情報処理装置１００Ａ、１００Ｂが管理するフォルダ及び画像データを取得することができる。これにより、管理システム３００は、患者番号で分類された画像データを取得することができる。
【００２２】
医療従事者は、医療行為中、撮像装置や情報処理装置を操作して、患者番号と画像データとの関連付けを行う余裕がない場合が多い。しかし、本実施形態における画像管理システム１によれば、医療従事者は、バーコードを撮影した後に、患者の患部を撮影するだけで、患者と画像データとの関連付けを行うことができる。これにより、医療従事者の手間が削減されるだけでなく、患者と画像データの関連付けの誤りが生ずることを防止できる。
【００２３】
≪２．  ハードウェア構成≫
図３乃至図５を用いて、本発明の一実施形態における情報処理装置１００Ａ、１００Ｂ（以下、まとめて情報処理装置１００と表現する）と、撮像装置２００と、画像形成装置５００のハードウェア構成を説明する。
【００２４】
≪情報処理装置≫
図３は、本発明の一実施形態に係る情報処理装置１００のハードウェア構成図である。情報処理装置１００は、ＣＰＵ１１と、ＲＡＭ１２と、ＲＯＭ１３と、ＨＤＤ１４と、ＮＩＣ（Network  Interface  Card）１５と、キーボード１６と、マウス１７と、ディスプレイ１８とを有する。
【００２５】
ＣＰＵ１１は、情報処理装置１００の動作制御を行うプログラムを実行する。当該プログラムは、後述する機能の一部又はすべてを実行するよう、情報処理装置１００の動作を制御する。ＲＡＭ１２は、ＣＰＵ１１のワークエリアを構成する。ＲＯＭ１３は、情報処理装置１００を起動させるシステムプログラムを記憶する。ＨＤＤ１４は、情報処理装置１００の動作を管理するオペレーティング・システム（ＯＳ）や、ＯＳの動作に必要なデータを記憶する。また、ＨＤＤ１４は、撮像装置２００から取得した画像データを記憶する。
【００２６】
ＮＩＣ１５は、ＬＡＮに接続するための通信インターフェースである。キーボード１６及びマウス１７は、情報処理装置１００の操作者から入力を受け付ける装置である。ディスプレイ１８は、情報処理装置１００の操作者に対して情報を提示する装置である。バス１９は、上記装置を電気的に接続する。
【００２７】
なお、情報処理装置１００は、サーバとして動作し、ネットワークを介して接続された、他のクライアントに対して、情報を入出力してもよい。この場合、情報処理装置１００は、キーボード１６、マウス１７及びディスプレイ１８を備えていなくても良い。
【００２８】
また、情報処理装置１００は、単一の筐体を有しても良いし、複数の筐体によって構成されても良い。例えば、情報処理装置１００は、データの格納領域として、ＨＤＤ１４の代わりに、ネットワーク上のストレージ領域を使用しても良い。
【００２９】
≪撮像装置≫
図４は、本発明の一実施形態に係る撮像装置２００のハードウェア構成図である。撮像装置２００は、ＣＰＵ２１と、ＲＡＭ２２と、ＲＯＭ２３と、メモリカード２４と、無線通信部２５と、ＵＳＢポート２６と、ＣＣＤ（Charge-Coupled  Device）２７と、バーコード読取部２８と、ディスプレイ２９と、操作部３０と、電池３１とを有する。
【００３０】
ＣＰＵ２１は、撮像装置２００の動作制御を行うプログラムを実行する。当該プログラムは、後述する機能の一部又はすべてを実行するよう、撮像装置２００の動作を制御する。ＲＡＭ２２は、ＣＰＵ２１のワークエリアを構成する。ＲＯＭ２３は、撮像装置２００を動作させるシステムプログラムを記憶する。メモリカード２４は、撮像した画像データを格納する。
【００３１】
無線通信部２５は、無線ＬＡＮに接続するための無線通信モジュールである。ＵＳＢポート２６は、情報処理装置１００と接続するためのＵＳＢケーブルを接続するためのインターフェースである。ＣＣＤ２７は、被写体から発せられた光を結像して電気信号に変換し、画像データを生成する素子である。バーコード読取部２８は、光源と光センサを有し、バーコードのバーとスペースのパターンを読み取ることにより、患者の識別情報のような、特定の情報を読み取ることができる装置である。
【００３２】
ディスプレイ２９は、撮像装置２００の操作者に対して情報を提示する装置である。操作部３０は、撮像装置２００の操作者から入力を受け付ける装置である。電池３１は、撮像装置２００を駆動する電力を供給する。バス３２は、電池３１を除く上記装置を電気的に接続する。
【００３３】
≪画像形成装置≫
図５は、本発明の一実施形態に係る画像形成装置５００のハードウェア構成図である。画像形成装置５００は、ＣＰＵ５１と、ＲＡＭ５２と、ＲＯＭ５３と、ＨＤＤ５４と、ＮＩＣ５５と、スキャナ５６と、プロッタ５７と、ディスプレイ５８と、操作部５９とを有する。
【００３４】
ＣＰＵ５１は、画像形成装置５００の動作制御を行うプログラムを実行する。当該プログラムは、後述する機能の一部又はすべてを実行するよう、画像形成装置５００の動作を制御する。ＲＡＭ５２は、ＣＰＵ５１のワークエリアを構成する。ＲＯＭ５３は、画像形成装置５００を起動させるシステムプログラムを記憶する。ＨＤＤ５４は、画像形成装置５００の動作を管理するＯＳや、ＯＳの動作に必要なデータを記憶する。
【００３５】
ＮＩＣ５５は、ＬＡＮに接続するための通信インターフェースである。スキャナ５６は、原稿台の上の原稿に原稿台側から光を当て、その反射光を撮像素子で電気信号に変換することにより、原稿の情報を電子化する装置である。プロッタ５７は、バーコードのような画像データや、患者の患者名や生年月日などの文字データを、トナー又はインクを用いて、紙面に形成する装置である。
【００３６】
操作部５９は、画像形成装置５００の操作者から入力を受け付ける装置である。バス６０は、上記装置を電気的に接続する。
【００３７】
≪３．  機能≫
図６は、本発明の一実施形態に係る画像管理システム１の機能ブロック図である。図６では、図１を用いて説明した、画像管理システム１を形成する装置のうち、画像形成装置５００と、撮像装置２００と、情報処理装置１００の機能を説明する。
【００３８】
まず、本発明の一実施形態に係る画像形成装置５００は、受信部５０１と、出力イメージ生成部５０２と、出力部５０３とを有する。
【００３９】
受信部５０１は、図５のＣＰＵ５１及びＮＩＣ５５の処理により実現され、管理システム３００から、患者番号、患者名及び患者の顔写真等を含む患者情報を受信する。
【００４０】
出力イメージ生成部５０２は、主に図５のＣＰＵ５１の処理により実現され、患者番号と対応するバーコードを生成し、そのバーコードと患者情報の一部又は全てを含む、印刷用の出力イメージを生成する。
【００４１】
例えば、出力イメージ生成部５０２は、患者の腕に装着されるリストバンドに張り付けられるシール３に、バーコード及び患者情報を出力することができる。また、画像形成装置５００は、組み立て式のリストバンドと、複数のシールとからなる１枚の台紙４に、バーコード及び患者情報を出力することができる。また、画像形成装置５００は、カルテや検査表５に、バーコード及び患者情報を含めて、出力することができる。
【００４２】
出力部５０３は、図５のプロッタ５７の処理により実現され、出力イメージ生成部５０２の生成した出力イメージを、紙面上に印字する。
【００４３】
図７は、出力部５０３が、組み立て式のリストバンドと、複数のシールとからなる１枚の台紙４に、バーコード及び患者情報を出力した例を表している。医療従事者は、リストバンドを患者に手渡し、一方で、シールを、検査用紙や検査容器等に貼ることで、異なる患者の検査結果との取り違えを防止することができる。
【００４４】
次に、本発明の一実施形態に係る撮像装置２００は、取得部２０１と、認識部２０２と、記録部２０３と、記憶部２０４と、画像送信部２０５とを有する。
【００４５】
取得部２０１は、図４のバーコード読取部２８又はＣＣＤ２７の処理により実現され、バーコード又は患者の患部の一部又は全部の画像を取得する。取得部２０１は、バーコードの画像を取得した場合には、その画像を、認識部２０２に渡す。一方、取得部２０１は、患者の患部の画像を取得した場合には、その画像を、記録部２０３に渡す。
【００４６】
認識部２０２は、図４のバーコード読取部２８又はＣＰＵ２１の処理により実現され、取得部２０１が取得したバーコードの画像から、患者番号を認識する。認識部２０２は、認識した患者番号を、記録部２０３に渡す。
【００４７】
なお、図７において示されるように、バーコードは、一次元バーコードであってもよいし、二次元バーコードであってもよい。認識部２０２は、二次元バーコードを認識することにより、一次元バーコードと比べて、より構造化された、複雑な情報を認識することができる。図８は、認識部２０２が、二次元バーコードを認識したときに取得される、ＸＭＬ（eXtensible  Markup  Language）形式のデータの例である。認識部２０２は、患者番号（id）に加えて、患者名（name）や、出力日時（date）等を、認識することができる。
【００４８】
記録部２０３は、図４のＣＰＵ２１の処理により実現され、取得部２０１の取得した患者の画像を、画像データとして、記憶部２０４に記録する。このとき、記録部２０３は、認識部２０２から受け取った患者番号を、画像データと関連付けて、記録することができる。
【００４９】
記録部２０３は、任意の方法により、患者番号と画像データとを関連付けて記録することができる。例えば、記録部２０３は、患者番号を格納したテキストファイルを作成し、そのテキストファイルと、画像データとを、組で記録することにより、患者番号と画像との関連付けを行っても良い。また、記録部２０３は、患者番号を、画像データのヘッダに記録することにより、患者番号と画像データとの関連付けを行っても良い。
【００５０】
記憶部２０４は、図４のメモリカード２４により実現され、患者番号と画像データとの組を記憶する。
【００５１】
画像送信部２０５は、図４のＣＰＵ２１及び無線通信部２５又はＵＳＢポート２６の処理により実現され、記憶部２０４に記憶された、患者番号と画像データとの組を、情報処理装置１００に送信する。
【００５２】
次に、本発明の一実施形態に係る情報処理装置１００は、記憶部１０１と、画像受信部１０２と、記録部１０３と、送信部１０４とを有する。
【００５３】
記憶部１０１は、図３のＨＤＤ１４により実現され、患者番号に応じて設けられたフォルダごとに、該患者番号の示す患者の患部の画像データ１５１を記憶する。
【００５４】
画像受信部１０２は、図３のＣＰＵ１１及びＮＩＣ１５の処理により実現され、撮像装置２００から、患者番号と画像データとの組を受信する。
【００５５】
記録部１０３は、図３のＣＰＵ１１の処理により実現され、画像受信部１０２が受信した患者番号を用いて、記憶部１０１にフォルダを生成し、そのフォルダに、組となった画像データ１５１を記録する。また、上述したように、識別番号が画像データのヘッダに格納されている場合、記録部１０３は、ヘッダを読み取ることにより、識別番号を取得することができる。
【００５６】
図９は、記録部１０３が記憶部１０１に記録したフォルダと画像データ１５１の構成の例を表している。ここでは、患者番号「1234567890」に対して、４つの画像データが関連付けられて記録されている。
【００５７】
送信部１０４は、図３のＣＰＵ１１及びＮＩＣ１５の処理により実現され、記憶部１０１に記憶された画像データ１５１を、管理システム３００に送信する。
【００５８】
≪４．  動作例≫
図１０−図１３を用いて、本発明の一実施形態における画像管理システム１の処理と具体的な動作例を説明する。
【００５９】
≪バーコードの出力処理≫
図１０は、本発明の一実施形態に係る画像形成装置５００による、バーコードの出力処理を表すフローチャートである。
【００６０】
まず、受信部５０１は、管理システム３００から、患者番号、患者名及び患者の顔写真等を含む患者情報を受信する（ステップＳ１０１）。次いで、出力イメージ生成部５０２は、患者番号と対応するバーコードを生成し、そのバーコードと患者情報の一部又は全てを含む、印刷用の出力イメージを生成する（ステップＳ１０２）。出力イメージ生成部５０２は、例えば、患者番号と対応する一次元バーコードと、患者名やバーコードを生成した日付を含む二次元バーコードとを含む、図７に示されるような出力イメージを生成することができる。そして、出力部５０３は、出力イメージ生成部５０２の生成した出力イメージを、台紙４に出力する（ステップＳ１０３）。
【００６１】
医療従事者は、台紙４の上に形成された、組み立て式のリストバンドを患者に手渡し、一方で、シールを、検査用紙や検査容器等に添付する。また、医療従事者は、患者の患部を撮影する場合に、患部の撮影に先立ち、リストバンドのバーコードを撮影することで、特別な操作を行うことなく、患者と患部の画像とを関連付けることが可能となる。
【００６２】
≪画像データの記録処理≫
図１１は、本発明の一実施形態に係る撮像装置２００による、バーコードの認識と画像データの記録処理を表すフローチャートである。なお、図１１の処理は、一の患者ごとに実行される処理である。
【００６３】
まず、取得部２０１は、操作者による操作部３０の操作に応じて、バーコードの画像を取得する（ステップＳ２０１）。ここでは、図７に示されるバーコードのうち、一次元バーコードが読み取られたものとする。認識部２０２は、取得部２０１が取得したバーコードの画像から、患者番号を認識する（ステップＳ２０２）。次いで、記録部２０３は、認識部２０２が認識した患者番号を、記憶部２０４に記録する（ステップＳ２０３）。
【００６４】
次に、取得部２０１は、操作者による操作部３０の操作に応じて、バーコード又は患者の患部の画像を取得する（ステップＳ２０４）。取得部２０１は、取得した画像がバーコードの画像か判定する（ステップＳ２０５）。そして、取得した画像がバーコード画像である場合には（ステップＳ２０５のＹｅｓ）、処理を終了する。一方、取得した画像が患者の患部の画像である場合には（ステップＳ２０５のＮｏ）、記録部２０３は、認識された患者番号と関連付けて、取得した画像を、画像データとして記憶部２０４に記録する（ステップＳ２０６）。そして、ステップＳ２０５に戻る。
【００６５】
≪画像データの格納処理≫
図１２は、本発明の一実施形態に係る情報処理装置１００による、画像データの格納処理を表すフローチャートである。
【００６６】
まず、画像受信部１０２は、撮像装置２００の画像送信部２０５から送信された、患者番号と画像データとの組を受信する（ステップＳ３０１）。記録部１０３は、画像受信部１０２が受信した患者番号を用いて、記憶部１０１にフォルダを生成する（ステップＳ３０２）。そして、記録部は、生成したフォルダに、患者番号と関連付けられた画像データ１５１を記録する（ステップＳ３０３）。図９は、生成されたフォルダと、格納される画像データを表す画面の例である。
【００６７】
≪動作の具体例≫
図１３は、本発明の一実施形態に係る画像管理システム１の具体的な動作例を示すフローチャートである。図１３は、図７に示される台紙４に患者情報が印刷され、台紙４から組み立てられるリストバンドのバーコードを用いて、患者の画像を取得する動作の流れを示している。
【００６８】
まず、画像形成装置５００の受信部５０１は、管理システム３００から、患者番号「1234567890」、患者名「患者Ａ」及び患者の顔写真等を含む患者情報を受信する（ステップＳ４０１）。次いで、出力イメージ生成部５０２は、受信部５０１から患者情報を受け取る（ステップＳ４０２）。次いで、出力イメージ生成部５０２は、患者番号「1234567890」と対応するバーコードを生成し、そのバーコードと患者情報の一部又は全てを含む、印刷用の出力イメージ（図７）を生成する（ステップＳ４０３）。
【００６９】
出力イメージ生成部５０２は、生成した出力イメージを、出力部５０３に渡す（ステップＳ４０４）。出力部５０３は、受け取った出力イメージを、台紙４に出力する（ステップＳ４０５）。
【００７０】
その後、医療担当者は、台紙４から組み立てられた、バーコード付きのリストバンドを患者に装着させ、撮像装置２００を用いて、そのバーコードを読み取る。
【００７１】
撮像装置２００の取得部２０１は、リストバンドに記載されたバーコードの画像を取得する（ステップＳ４０６）。次いで、取得部２０１は、取得したバーコード画像を、認識部２０２に渡す（ステップＳ４０７）。次いで、認識部２０２は、バーコード画像を認識し、識別番号「1234567890」を読み取る（ステップＳ４０８）。そして、認識部２０２は、読み取った患者番号を、記録部２０３に渡す（ステップＳ４０９）。記録部２０３は、受け取った患者番号「1234567890」を、記憶部２０４に記録する（ステップＳ４１０）。
【００７２】
その後、医療担当者は、撮像装置２００を用いて、患者の患部を撮影する。
【００７３】
撮像装置２００の取得部２０１は、患者の患部の画像を取得する（ステップＳ４１１）。次いで、取得部２０１は、取得した患者の画像を、記録部２０３に渡す（ステップＳ４１２）。記録部２０３は、受け取った患者の画像を、ステップＳ４１０で記録した患者番号「1234567890」と関連付けて、記憶部２０４に記録する（ステップＳ４１３）。
【００７４】
ここで、医療担当者は、複数回にわたって患者を撮影する。このとき、撮像装置２００は、上述した、ステップＳ４１１−Ｓ４１３の処理を繰り返し実行する。その後、医療担当者は、撮像装置２００と情報処理装置１００とを、ＵＳＢケーブルで接続する。
【００７５】
撮像装置２００の画像送信部２０５は、記憶部２０４から、患者番号と画像データの組を読み出す（ステップＳ４１４）。画像送信部２０５は、読み出した患者番号と画像データの組を、情報処理装置１００に送信する（ステップＳ４１５）。
【００７６】
情報処理装置１００の画像受信部１０６は、受信した患者番号と画像データの組を、記録部１０７に渡す（ステップＳ４１６）。記録部１０７は、受け取った患者番号と同名のフォルダ「1234567890」を、記憶部１０１に生成する（ステップＳ４１７）。その後、記録部１０７は、受け取った画像データを、生成したフォルダ「1234567890」に記録する（ステップＳ４１８）。図９は、４つの画像データが、フォルダ「1234567890」に記録されている例を表す。
【００７７】
なお、上記の例では、撮像装置２００が、患者の患部の画像を取得するものとして説明したが、撮像装置２００は、動画を取得しても良い。この場合には、撮像装置２００の記録部２０４は、識別番号と動画データとの組を、記憶部２０４に記憶することができる。あるいは、記録部２０４は、識別番号を、動画データのヘッダ情報に格納しても良い。
【００７８】
また、上記の例では、バーコードから読み取られる患者番号と画像データとの組が、撮像装置２００から情報処理装置１００へと送信される。しかしながら、上述したように、患者番号が画像データのヘッダに格納される場合には、実際には、画像データのみが、撮像装置２００から情報処理装置１００へと送信される。
【００７９】
また、上記の例では、医療担当者は、撮像装置２００と情報処理装置１００とを、ＵＳＢケーブルで接続している。しかしながら、撮像装置２００と情報処理装置１００とは、無線ＬＡＮを介して、適宜通信可能なように構成されても良い。この場合には、撮像装置２００が、一定の患者の画像を取得した段階で、自動的に、画像データを情報処理装置１００に送信してもよい。
【００８０】
≪５．  効果≫
以上のように、本実施形態における画像管理システム１では、医療担当者が、撮像装置２００や情報処理装置１００を用いて、特別な操作を行うことなく、患者と、患者の画像データとを、関連付けることができる。これにより、医療担当者の操作ミスによる、患者と画像データとのミスマッチを防ぐことができる。さらに、医療行為の際に、電子機器を操作する機会を最小限にすることができ、衛生面での問題を低減することができる。
【００８１】
≪６．  応用例≫
次に、図１４乃至図１７を用いて、上述した画像管理システム１の、医療システム以外への応用例を説明する。
【００８２】
≪衣服の在庫管理システムの例≫
図１４は、画像管理システム１を、衣服の在庫管理システムで用いる例を表している。衣服の在庫管理システムは、商品である衣服に付された一の識別番号と、その衣服の外観を表す一以上の画像データとを管理する。ここで、一の識別番号と、一以上の画像データとを関連付けて管理するために、上述した画像管理システム１を利用することができる。
【００８３】
すなわち、衣服の販売者は、予め、商品の識別番号を、商品に割り振り、その識別番号を示すバーコードを商品に取り付けておく。そして、上述した動作例に従って、撮像装置２００により、バーコードを読み取った後に、商品を撮影する。これにより、情報処理装置１００では、商品の識別番号ごとに設けられたフォルダに、商品の１以上の画像データが格納される。
【００８４】
従って、衣服の販売者は、識別番号と画像データとの関連付けを手動で行う必要がなくなり、負担が低減される。
【００８５】
≪オークションの商品管理システムの例≫
図１５は、画像管理システム１を、インターネット・オークションの商品管理システムで用いる例を表している。インターネット・オークションの商品管理システムは、商品（ここでは、プラモデルを例示する）の該箱に付された一の識別番号と、その商品の外観を表す一以上の画像データとを管理する。ここで、図１４に示す衣服の在庫管理システムの例と同様に、一の識別番号と、一以上の画像データとを関連付けて管理するために、上述した画像管理システム１を利用することができる。
【００８６】
すなわち、インターネット・オークションの出品者は、予め、商品の識別番号を、商品に割り振り、その識別番号を示すバーコードを商品に取り付けておく。そして、上述した動作例に従って、撮像装置２００により、バーコードを読み取った後に、商品を撮影する。これにより、情報処理装置１００では、商品の識別番号ごとに設けられたフォルダに、商品の１以上の画像データが格納される。
【００８７】
従って、インターネット・オークションの出品者は、識別番号と画像データとの関連付けを手動で行う必要がなくなり、負担が低減される。
【００８８】
≪保険会社の事故記録の例≫
図１６は、画像管理システム１を、保険会社の事故記録の管理に用いる例を表している。例えば、保険会社は、１つの事件に付された一の識別番号と、その事件に係る画像データ（すなわち、事故車の画像）を管理する。ここで、一の識別番号と、一以上の画像データとを関連付けて管理するために、上述した画像管理システム１を利用することができる。
【００８９】
すなわち、保険会社の担当者は、上述した動作例に従って、撮像装置２００により、文書のバーコードを読み取った後に、事故車を撮影する。これにより、情報処理装置１００では、商品の識別番号ごとに設けられたフォルダに、商品の１以上の画像データが格納され、保険会社の担当者は、識別番号と画像データとの関連付けを手動で行う必要がなくなる。
【００９０】
≪学校での作品記録の例≫
図１７は、画像管理システム１を、学校のような教育の場での作品の記録の管理に用いる例を表している。例えば、小学校の教諭は、児童に付された一の識別番号と、その児童が作成した作品の画像データを管理する。ここで、一の識別番号と、一以上の画像データとを関連付けて管理するために、上述した画像管理システム１を利用することができる。
【００９１】
すなわち、小学校の教諭は、上述した動作例に従って、撮像装置２００により、児童に付された識別番号を示すバーコードを読み取った後に、作品を撮影する。これにより、情報処理装置１００では、児童ごとに設けられたフォルダに、１以上の作品の画像データが格納される。
【００９２】
≪変形例≫
上述した実施形態において、情報処理装置３００の記憶部１０１は、例えば顧客に貸与された撮像装置２００の利用期間（貸与期間）を記憶しても良い。そして、情報処理装置３００の送信部１０４は、利用期間に基づいて算出された利用料金を表す利用料金情報を、例えばメール等の手段により、顧客に通知しても良い。また、情報処理装置３００の記憶部１０１は、画像形成装置５００によって出力（印刷）されたバーコードの総数を記憶しても良い。そして、情報処理装置３００の送信部１０４は、出力されたバーコードの総数に基づいて算出された利用料金を表す利用料金情報を、例えばメール等の手段により、顧客に通知しても良い。
【符号の説明】
【００９３】
１  システム
２  ネットワーク
１００  管理装置
１０１  記憶部
１０２  名刺情報取得部
１０３  外部情報取得部
１０４  格納部
１０５  達成度算出部
１０６  問合せ受付部
１０７  特定部
１０８  出力部
１５１  社員情報
１５２  社員履歴情報
１５３  組織情報
１５４  達成度情報
２００  画像読取装置
３００  情報提供装置
【先行技術文献】
【特許文献】
【００９４】
【特許文献１】特開２０１２−１５９９９６号公報
【特許文献２】特開２０１２−０４９９０６号公報
【図１】
2015219699.tif 000003
【図２】
2015219699.tif 000004
【図３】
2015219699.tif 000005
【図４】
2015219699.tif 000006
【図５】
2015219699.tif 000007
【図６】
2015219699.tif 000008
【図７】
2015219699.tif 000009
【図８】
2015219699.tif 000010
【図９】
2015219699.tif 000011
【図１０】
2015219699.tif 000012
【図１１】
2015219699.tif 000013
【図１２】
2015219699.tif 000014
【図１３】
2015219699.tif 000015
【図１４】
2015219699.tif 000016
【図１５】
2015219699.tif 000017
【図１６】
2015219699.tif 000018
【図１７】
2015219699.tif 000019